(57)【要約】      （修正有）【課題】釣り用天秤一式を交換することなく、適時ハリス用腕体一本のみを交換できる折り畳み天秤を提供する。【解決の手段】釣り用の天秤主軸１の一部に一体化でなる連結体２が、ハリスＢを接続するバネ性でなる線状体３と係合して回動する。連結体２は角状軸２ｂの両サイドに鍔部２ａを具備してなり、角状軸２ｂの周辺を線状体３の端部に挟着でなる加圧部３ａを設け、回動と着脱を自在にし、或いはこれらの加圧部３ａの端部の折り返し部３ｂにロックキャップ体４を係合自在にする。【選択図】図１
0003154842.tif 000002
【実用新案登録請求の範囲】
【請求項１】
釣り用の天秤主軸１の一部に一体化でなる連結体２が、ハリスＢを接続するバネ性でなる線状体３と係合して回動構成の折り畳み天秤において、該連結体２は角状軸２ｂの両サイドに鍔部２ａを具備してなり、角状軸２ｂの周辺を線状体３の端部に挟着でなる加圧部３ａを設け、回動と着脱を自在にし、或いはこれらの加圧部３ａの端部の折り返し部３ｂにロックキャップ体４、４４を係合自在構成にしたことを特徴とする折り畳み天秤。
【請求項２】
前記する連結体２の角状軸２ｂの両サイドに設けた鍔部２ａの外周に沿うって回動する加圧部３ａに近接して係合するロックキャップ体４側面４ａの回動を阻止可能な突起状のストッパー５を鍔部２ａの外周一部に設けたことえを特徴とする請求項１記載の折り畳み天秤。
【請求項３】
前記するロックキャップ体４を前後スライド可能にし、鍔部２ａ外周の一部に設けた突起状のストッパー５に依ってキャップ体４の側面４ａがストッパー５にあいまって回動と回動ロック（回動阻止）の操作を可能にしたことを特徴とする請求項１記載の折り畳み天秤。
【請求項４】
前記する鍔部２ａの外周の一部に沿うって設けたバネ性のスナップ部６が、回動する加圧部３ａに近接して係合するロックキャップ体４の側面４ａを加圧し、回動にブレーキをかける構成にしたことを特徴とする請求項１記載の折り畳み天秤。
【考案の詳細な説明】
【技術分野】
【０００１】  この考案は、釣り用の天秤に関し詳しくは、折り畳みの出来る天秤の改良に関する。
【背景技術】
【０００２】  この種の従来の技術として知られる折り畳み式の天秤は、道糸用腕体と、先端部にハリスを支持するハリス用腕体とが連結体を介して回動自在に連結された釣り用天秤として、特開平１０−７５６９６号が最も近い技術として知られる。【０００３】  前者の釣り用天秤は、道糸に連結する道糸用腕体とハリス用腕体とが連結体を介して回動自在に構成し、釣り場での遠投釣りには道糸用腕体とハリス用腕体とを直角に保ち、また、収納時には道糸用腕体とハリス用腕体とを折り畳んでコンパクトに収納するに事の出来る構成にしている。
【考案の開示】
【考案が解決しようとする課題】
【０００４】  しかしながら上記する従来技術の場合は、道糸用腕体と、連結体を介して直角的に回動自在に構成したハリスの接続するバネ材の線状体でなるハリス用腕体は、直角から０角度までの節度感のない折り畳みでの構成の為、魚が釣り針を呑み込み暴れまわる強力な瞬發力によりハリス用腕体が不測に水中で折り畳まれてしまい糸絡みや、ハリス切れ等のトラブルが発生する等の課題がある。【０００５】  そしてまた、連結体にハリス用腕体が回動自在に軸支される構成の為、ボートなどで浅場の底にいる魚を狙う投げ込み釣りや水中で寄せエサを拡散させて釣るビシ釣り、或いは狙う魚の種類や潮の流れに合わせて釣り用天秤を使うのに仕掛けを換え釣り用天秤一式を交換することなく適時ハリス用腕体一本のみをワンタッチ方式で外し交換の出来る折り畳み天秤が強く要望されていた。
【課題を解決するための手段】
【０００６】  この考案はかかる課題を解決する為に、請求項１での考案は図１、２，３，４、で述べるように、釣り用の天秤主軸１の一部に一体化でなる連結体２が、ハリスＢを接続するバネ性でなる細長い金属性の線状体３と結合して回動構成の折り畳み天秤において、該連結体２は角状軸２ｂの利用サイドにボビン状に鍔部２ａを具備してなり、角状軸２ｂの周辺を線状体３の端部で並列する２辺間に挟着でなる加圧部３ａを設け、回動と着脱を自在にし、或いはこれらの加圧部３ａの端部の折り返し部３ｂにロックキャップ体４、４４を差し込み係合自在の構成にする。【０００７】  次ぎに請求項２での考案は図６で述べるように、前記する連結体２の角状軸２ａの両サイドに設けた鍔部２ａの外周に沿うって回動する加圧部３ａに近接して差し込み結合するロックキャップ体４側面４ａの回動を阻止可能な突起状のつストッパー５を鍔部２ａの外周一部に構成する。【０００８】  次ぎに請求項３での考案は図７で述べるように、前記するロックキャップ体４を前後スライド可能にし、鍔部２ａ外周の一部に設けた突起状のストッパー５に依ってキャップ体４の側面４ａが二つのストッパー５にあいまって回動と回動ロックの操作を可能にした構成とする。【０００９】  また次に請求項４での考案は図５で述べるに、前記する鍔部２ａの外周の一部に沿うって設けたバネ性のスナップ部６が、回動する加圧部３ａに近接して結合するロックキャップ体４の側面４ａを所定の回動角で接触加圧し、回動にブレーキを掛ける構成である。
【考案の効果】
【００１０】  本考案は、上述の通り構成作用するので次ぎの優れた効果を奏する。即ち、請求項１で述べる第一実施例では、水中で釣られた魚の引っ張りと道糸の巻き上げによる綱引きで、天秤主軸に設けた連結体の角状軸に直角に配置された回動自在でなる線状体が天秤主軸と一直線上に開成体に作動する事で、魚の引き上げに抵抗を激減し釣り上げに最適な折り畳み天秤を提供出来る。
また、請求項２で述べる第二実施例では、線状体の回動を直角位置から折り畳みの操作に限定する事で、収納時のみ線状体を折り畳める折り畳み天秤を提供出来る。
また、請求項３で述べる第三実施例では、ロックキャップ体のワンタッチスライド操作によって線状体の回動を直角間での折り畳み操作と、フル回動自在での両用選択可能な折り畳み天秤を提供出来る。
また、請求項４で述べる第四実施例では、線状体の回動を直角配置から所定の開成体でブレーキのかかる折り畳み天秤を提供出来る。
また、線状体の回動は角状軸に係合滑動する事で、節度感の有るホールドが出来、且つ天秤主軸から線状体を取り外し、自在に好みの線状体に交換の出来る折り畳み天秤を提供出来る優れた効果を奏する。
【考案を実施するための最良の形態】
【００１１】  以下に図示の実施例に基づいて本考案を更詳細に説明する。図１は本考案での第一実施例の全体を示す斜視図で、図２、図３、図４は類似での実施例による要部断面を示す正面図で、図１において、道糸Ａに連結する金属線材の天秤主軸１の端辺の一部に一体化するボビン状の連結体２を介し、金属バネ性の細長い線状体３が回動自在に且つ着脱自在に係合するが、該連結体３は、角状軸２ｂの両サイドに円板状の鍔部２ａを具備してなるが、これらの角状軸２ｂは図２、図３、図４で示す様に四角状、六角形、八角形、小判状、長方形等の非円形とすることで、これらの角状軸２ｂのニ辺を挟み込んで接合して矢印ａ，ｂ方向に回動するバネ性の金属性線状体３は節度ある直角に位置しての保持を可能にしている。【００１２】  即ち、前記する天秤主軸１に一体化の連結体２は、角状軸２ｂの利用サイドの鍔部２ａに挟まれて角状軸２ｂを軸にして回動する金属バネ性の細長い線状体３の端子３ｃには、撚り戻しを介クッションゴムやハリスＢが接続され、片方の端部には折り返し部３ｂに近接してクリップ状の加圧部３ａが角状軸２ｂを挟み込みバネ圧を受け係合し、これらの双方間で直角座標を保持するのに、一直線の天秤主軸１に角状軸２ｂの対辺が平行線で直角座標に設定保持され、図１で示す様に矢印ａ方向と矢印ｂ方向に夫々直角回動に節度ある回転が保持され、矢印ａ方向では線状体３が折り畳まれ収納を可能にし、矢印ｂ方向の動きは、魚が釣られて逃げ回る強力なハリスの引っ張りを受けての回動に依って、天秤主軸１と一直線状に線状体３が保持される。【００１３】  このように、節度有る直角節度の回動が行われる線状体３は、変則的な外力を受け、回転部と成る加圧部３ａのズレを防ぐ為の図２、３、４、で示すようにロックキャップ体４、４４の外周スリット４ｂに折り返し部３ｂが整合し着脱自在に挟み込まれ、ロックキヤップ体４、４４の側面４ａが、連結体２の外周と僅かな隙をおいて、回動を自在に構成するが、これらのロックキャップ体４、４４の装着は、釣りの対象魚によっては必ずしも必要としない着脱自在の構成とする。【００１４】  また、図４で述べる様に連結体２の鍔部２ａの間隙に線状体３の片方の端部の折り返しのない直線を差し込み、角状軸２ｂが勘合する凹状を設けたガイド体３ｃは、線状体３のバネ圧を受けて、双方間で直角座標を保持可能での回動構成でも良い。【００１５】  次ぎに、図６は本考案での第二実施例の要部断面を示す正面図で、連結体２の角状軸２ｂの両サイドに設けた鍔部２ａの外周に沿うって回動する加圧部３ａに近接して嵌め込まれたロックキャップ体４の側面４ａの回動を阻止可能な突起状のストッパー５を鍔部２ａの外周の一部に設けるが、これらのストッパー５は線状体３が天秤主軸１と直角座標に位置する双方の回動関係がホールドされ、釣り場での投げ込み釣りでの遠投は、線状体３を直角回動が選択されることで、釣られた魚の変則的に強力な動き回る引き力が加わっても、直角座標が保持され、収納時は線状体３を矢印方向に折り畳みの出来る構造である。【００１６】  次ぎに、図７は本考案での第三実施例の要部断面を示す正面図で、前記する連結体２の角状軸２ｂの両サイドに設けた鍔部２ａの外周に突起状の２個のストッパー５をロックキャップ体４の側面４ａの幅面を囲む位置関係の設け、ロックキャップ体４の回動を阻止するが、これらの線状体３は天秤主軸１と直角座標に保持され、且つ当該ロックキャップ体４は折り返し部３ｂに挟みこれた形態で、図７矢印ａ，ｂ方向の前後にスライド操作を自在にし、ロックキャップ体４の側面３を２個のストッパー５のロックを外す事で、線状体３は回動を自在にする事が出来る構成とする。即ち直角からの折り畳みと、直角からの回動自在での両用機能での使い分けを選択可能にしている。【００１７】  次ぎに、図５は本考案での第四実施例の要部断面を示す正面図で、前記する鍔部２ａの外周の一部に沿うって設けたバネ性のスナップ部６が、回動する加圧部３ａに近接して係合するロックキャップ体４の側面４ａを加圧し、回動にブレーキを掛ける形態で、線状体３は、直角座標から魚の引っ張り力を受けて２つの直角に回動が到達する前にスナップ部６によって線状体３がブレーキ作用停止での構成である。【００１８】  このように、前記する線状体３の回動を釣り場での用途に応じ、ロックキャップ体４の使い分けで、大物魚から小物魚の釣りに広く対応し、且つ第二、第三、第四実施例での図示で述べるように、線状体３の連結体２との着脱は、折り返し部３ｂの最先端をクリップ状３ｄの取り外し操作で分解を容易にし、更には図２、図３、図４での線状体３にクリップ状３ｄを設けない連結体２からの着脱は、鍔部２ａの一枚を角状軸２ｂとネジ固定等で係合などで一枚の鍔部２ａの着脱での分解でも良い。（図示せず）
【図面の簡単な説明】
【００１９】
【図１】  本考案に係わる第一実施例での全体を示す斜視図である。
【図２】  本考案に係わる第一実施例での要部断面を示す正面図である。
【図３】  本考案に係わる他の第一実施例での要部断面を示す正面図である。
【図４】  本考案に係わる他の第一実施例での要部断面を示す正面図である。
【図５】  本考案に係わる第四実施例での要部断面を示す正面図である。
【図６】  本考案に係わる第二実施例での要部断面を示す正面図である。
【図７】  本考案に係わる第三実施例での要部断面を示す正面図である。
【符合の説明】
【００２０】Ａ        道糸
Ｂ        ハリス
１        天秤主軸
２        連結体
２ａ      鍔部
２ｂ      角状軸
３        線状体
３ａ      加圧部
３ｂ      折り返し部
３ｃ      ガイド体
３ｄ      クリップ状
４、４４  ロックキャップ体
４ａ      側面
４ｂ      外周スリット
５        ストッパー
６        スナップ部
【図１】
0003154842.tif 000003
【図２】
0003154842.tif 000004
【図３】
0003154842.tif 000005
【図４】
0003154842.tif 000006
【図５】
0003154842.tif 000007
【図６】
0003154842.tif 000008
【図７】
0003154842.tif 000009